(57)【要約】【課題】保護帽を着用していないユーザーがかぶるのに適した寸法と、保護帽を着用したユーザーがかぶるのに適した寸法とを有するように変形可能なフードを提供すること。【解決手段】襠と、当該襠を開閉する襠開閉機構とを備えるフードであって、上記襠開閉機構は、上記襠開閉機構を閉じた状態では、保護帽を着用していないユーザーがかぶるのに適した寸法を有し、そして上記襠開閉機構を開いた状態では、保護帽を着用しているユーザーがかぶるのに適した寸法を有するように、襠を開閉することができることを特徴とするフード。【選択図】図１４
2011122268.tif 000002
【特許請求の範囲】
【請求項１】
襠と、当該襠を開閉する襠開閉機構とを備えるフードであって、
前記襠開閉機構は、前記襠開閉機構を閉じた状態では、保護帽を着用していないユーザーがかぶるのに適した寸法を有し、そして前記襠開閉機構を開いた状態では、保護帽を着用しているユーザーがかぶるのに適した寸法を有するように、襠を開閉することができることを特徴とする、
前記フード。
【請求項２】
前記襠開閉機構が、前記フードの前頭部から後頭部の方向に配置されており、前記襠開閉機構を開いて、前記フードを、前記フードの一方の側頭部からもう一方の側頭部の方向に広げることができる、請求項１に記載のフード。
【請求項３】
前記襠開閉機構が、前記フードの前頭部側の周縁部及び／又は後頭部側の周縁部と接していない、請求項１又は２に記載のフード。
【請求項４】
前記襠開閉機構が前記フードの外側に配置されており、前記襠を、前記フードの内側に折り畳むことができる、請求項１〜３のいずれか一項に記載のフード。
【請求項５】
前記襠開閉機構が、ファスナー、面ファスナー、スナップ、ホック、トッグル、ボタン及びボタンホール、並びに／又は紐及び紐用ループを含む、請求項１〜４のいずれか一項に記載のフード。
【請求項６】
裏地を有する、請求項１〜５のいずれか一項に記載のフード。
【請求項７】
前記裏地の少なくとも一部が伸縮性を有する素材である、請求項６に記載のフード。
【請求項８】
前記裏地の少なくとも一部が、前記襠に隣接する領域に配置されている、請求項７に記載のフード。
【請求項９】
前記フードの表地と、前記裏地との間に、保温用部材を有する、請求項６〜８のいずれか一項に記載のフード。
【請求項１０】
前記襠の素材が、織物、編物、皮革、ポリマー、又はこれらの組み合わせから成る群から選択される、請求項１〜９のいずれか一項に記載のフード。
【請求項１１】
前記襠開閉機構がファスナーであり、当該ファスナーを閉じた状態及び／又は開いた状態においてファスナーの引き手部を覆うことができる引き手部カバーをさらに備える、請求項１〜１０のいずれか一項に記載のフード。
【請求項１２】
請求項１〜１１のいずれか一項に記載のフードを備える衣服。
【請求項１３】
防寒用又は防塵用である、請求項１２に記載の衣服。
【発明の詳細な説明】
【技術分野】
【０００１】
本発明は、襠と、当該襠を開閉する襠開閉機構とを備えるフード、及び当該フードを備える衣服に関する。
【背景技術】
【０００２】
近年、欧米では、安全のために保護帽、例えば、スキー用ヘルメットを着用する一般のスキーヤーが増える傾向にあり、ゲレンデの約２０％のスキーヤーが着用しているとの報告もある。また、一般のスキー客に安全対策として保護帽着用を呼びかけているスキー場もある。
日本でも、スキーヤーの安全のために、今後、スキー用ヘルメットを着用するスキーヤーが増えるものと思われる。
【０００３】
しかし、現時点で市販されているスキーウェアに付属しているフードは、スキー用ヘルメットの上から着用することを想定しておらず、スキー用ヘルメットの上からフードをかぶることができない。また、フードの上からヘルメットを着用しようとする場合、ヘルメットのサイズが小さい場合には、ヘルメットが着用できない等の問題が生じうる。
【０００４】
保護帽の上から着用することができるフード等として、例えば、特許文献１及び特許文献２に記載されるものが挙げられる。しかし、特許文献１に記載されるフードは、保護帽の上からかぶった場合に、開口部が、目、口等の適切な位置に配置されるように設計されているので、保護帽を着用しない状態で上記フードをかぶった場合には、開口部が適切な位置に配置されない。従って、特許文献１に記載されるフードは、保護帽を着用しているユーザーがかぶるのに適した寸法を有しているが、保護帽を着用していないユーザーがかぶるのに適した寸法を有しているものではない。
【０００５】
また、特許文献２に記載されるヘルメットカバーは、その字句通り、ヘルメットの上から着用することを想定するものである。従って、特許文献２に記載されるフードは、保護帽を着用しているユーザーがかぶるのに適した寸法を有しているが、保護帽を着用していないユーザーがかぶるのに適した寸法を有していない。
【０００６】
さらに、ヘルメット等の保護帽の上からかぶるためのフードを備えるスキー用ウェアが市販されている。しかし、上記スキーウェアは、保護帽の上からかぶるような大きさを有し、且つサイズ調節機能を有していないので、保護帽を着用していない状態でかぶると、目が隠れてしまい危険である。
従って、上記フードは、保護帽を着用したユーザーがかぶるのに適した寸法を有してはいるが、保護帽を着用していないユーザーがかぶるのに適した寸法を有していない。
なお、スキーウェアのフードには、通常、ドローコードストッパーが付いているが、この場合にドローコードストッパーを締めると、顔の露出部分がさらに狭くなり危険である。
【０００７】
サイズ調節機能を有するフード等として、特許文献３〜５に記載されるものを挙げることができる。しかし、特許文献３に記載のフードは、個人差に起因する頭部の高さ及び周囲のサイズを調製することができるフードであって、そもそも、保護帽を着用したユーザー及び保護帽を着用していないユーザーがかぶることを想定したフードではない。従って、特許文献３に記載のフードを、ヘルメット等の保護帽の上からがかぶれるように大きく作成し、保護帽を着用していない場合にはドローコートを絞り込むことにより対応しようとすると、保護帽を着用していない場合に、ドローコートが大きく絞り込まれることになり、後頭部にフード溜まりが生じ、着用感、外観等に問題が生じる。
【０００８】
また、特許文献４に記載のサイズ調整アジャスター付きフードは、特許文献３に記載のフードと同様に、ユーザーのサイズに合わせてサイズの調整ができるフードであるが、調整が可能なのは、首回りのサイズである。従って、特許文献４に記載のフードを、ヘルメット等の保護帽の上からがかぶれるような大きさとし、保護帽を着用していない場合には紐を引くことにより対応しようとすると、保護帽を着用していない場合には、首回りのサイズは調整可能であるが、保護帽に対応するために特に大きくする必要がある頭頂部から後頭部にかけては調整することができず、頭頂部から後頭部にかけてのダブツキ感等の着用感、外観等に問題が生じる。
【０００９】
さらに、特許文献５には、サイズ調整可能な帽子が開示されているが、調整が可能なのは、側頭部のサイズである。従って、特許文献５に記載の帽子を、ヘルメット等の保護帽の上からがかぶれるような大きさとし、保護帽を着用していない場合にはサイズ調整ベルトを調整することにより対応しようとすると、保護帽を着用していない場合には、側頭部のサイズは調整可能であるが、保護帽に対応するために特に大きくする必要がある頭頂部から後頭部にかけては調整することができず、特許文献４の場合と同様に、頭頂部から後頭部にかけてのダブツキ感等の着用感、外観等に問題が生じる。
従って、特許文献３及び４に記載のフード、又は特許文献５に記載の帽子は、保護帽を着用していないユーザーがかぶるのに適した寸法と、保護帽を着用したユーザーがかぶるのに適した寸法とを有するように変形可能ではない。
【先行技術文献】
【特許文献】
【００１０】
【特許文献１】特開昭５６−１０１９０３号公報
【特許文献２】実開平７−１０３８号公報
【特許文献３】特開平８−２３２１０９号公報
【特許文献４】特開２００５−９７８１４号公報
【特許文献５】特開２００２−３７１４２３号公報
【発明の概要】
【発明が解決しようとする課題】
【００１１】
以上のように、従来、保護帽を着用していないユーザーがかぶるのに適した寸法と、保護帽を着用したユーザーがかぶるのに適した寸法とを有するように変形可能なフードはなかった。
従って、本発明は、保護帽を着用していないユーザーがかぶるのに適した寸法と、保護帽を着用したユーザーがかぶるのに適した寸法とを有するように変形可能なフードを提供することを目的とする。
【課題を解決するための手段】
【００１２】
本発明者らは、上記課題を解決するために鋭意検討した結果、襠と、当該襠を開閉する襠開閉機構とを備えるフードであって、上記襠開閉機構は、上記襠開閉機構を閉じた状態では、保護帽を着用していないユーザーがかぶるのに適した寸法を有し、そして上記襠開閉機構を開いた状態では、保護帽を着用しているユーザーがかぶるのに適した寸法を有するように、襠を開閉することができることを特徴とするフードにより、上記課題を解決できることを見出し、本発明を完成するに至った。
【００１３】
具体的には、本発明は以下の態様に関する。
［態様１］
襠と、当該襠を開閉する襠開閉機構とを備えるフードであって、
上記襠開閉機構は、上記襠開閉機構を閉じた状態では、保護帽を着用していないユーザーがかぶるのに適した寸法を有し、そして上記襠開閉機構を開いた状態では、保護帽を着用しているユーザーがかぶるのに適した寸法を有するように、襠を開閉することができることを特徴とする、
上記フード。
【００１４】
［態様２］
上記襠開閉機構が、上記フードの前頭部から後頭部の方向に配置されており、上記襠開閉機構を開いて、上記フードを、上記フードの一方の側頭部からもう一方の側頭部の方向に広げることができる、態様１に記載のフード。
［態様３］
上記襠開閉機構が、上記フードの前頭部側の周縁部及び／又は後頭部側の周縁部と接していない、態様１又は２に記載のフード。
【００１５】
［態様４］
上記襠開閉機構が上記フードの外側に配置されており、上記襠を、上記フードの内側に折り畳むことができる、態様１〜３のいずれか１つに記載のフード。
［態様５］
上記襠開閉機構が、ファスナー、面ファスナー、スナップ、ホック、トッグル、ボタン及びボタンホール、並びに／又は紐及び紐用ループを含む、態様１〜４のいずれか１つに記載のフード。
【００１６】
［態様６］
裏地を有する、態様１〜５のいずれか１つに記載のフード。
［態様７］
上記裏地の少なくとも一部が伸縮性を有する素材である、態様６に記載のフード。
［態様８］
上記裏地の少なくとも一部が、上記襠に隣接する領域に配置されている、態様７に記載のフード。
【００１７】
［態様９］
上記フードの表地と、上記裏地との間に、保温用部材を有する、態様６〜８のいずれか１つに記載のフード。
［態様１０］
上記襠の素材が、織物、編物、皮革、ポリマー、又はこれらの組み合わせから成る群から選択される、態様１〜９のいずれか１つに記載のフード。
【００１８】
［態様１１］
上記襠開閉機構がファスナーであり、当該ファスナーを閉じた状態及び／又は開いた状態においてファスナーの引き手部を覆うことができる引き手部カバーをさらに備える、態様１〜１０のいずれか１つに記載のフード。
［態様１２］
態様１〜１１のいずれか１つに記載のフードを備える衣服。
［態様１３］
防寒用又は防塵用である、態様１２に記載の衣服。
【発明の効果】
【００１９】
本発明のフードは、保護帽を着用していないユーザーがかぶるのに適した寸法と、保護帽を着用したユーザーがかぶるのに適した寸法とを有するように変形可能である。
【図面の簡単な説明】
【００２０】
【図１】図１は、本発明のフードの態様の１つの模式図である。
【図２】図２は、本発明のフードの態様の１つの模式図である。
【図３】図３は、襠開閉機構のバリエーションを示す、本発明のフードの別の態様を示す模式図である。
【図４】図４は、襠開閉機構のバリエーションを示す、本発明のフードの別の態様を示す模式図である。
【図５】図５は、襠開閉機構のバリエーションを示す、本発明のフードの別の態様を示す模式図である。
【図６】図６は、襠開閉機構のバリエーションを示す、本発明のフードの別の態様を示す模式図である。
【図７】図７は、襠開閉機構を閉じる方向のバリエーションを示す、本発明のフードの別の態様を示す模式図である。
【図８】図８は、引き手部カバーを有する、本発明のフードの態様の１つを示す模式図である。
【図９】図９は、引き手部カバーを有する、本発明のフードの別の態様を示す模式図である。
【図１０】図１０は、襠開閉機構が面ファスナーである、本発明のフードの例の１つを示す図である。
【図１１】図１１は、襠開閉機構が面ファスナーである、本発明のフードの例の１つを示す図である。
【図１２】図１２は、襠開閉機構がスナップである、本発明のフードの例の１つを示す図である。
【図１３】図１３は、襠開閉機構が面ファスナーであり、そして２組の襠及び面ファスナーを備える、本発明のフードの例の１つを示す図である。
【図１４】図１４は、襠開閉機構が面ファスナーであり、そして２組の襠及び面ファスナーを備える、本発明のフードの例の１つを示す図である。
【図１５】図１５は、襠開閉機構がスナップであり、そして２組の襠及びスナップを備える、本発明のフードの例の１つを示す図である。
【図１６】図１６は、襠開閉機構がファスナーである、本発明のフードの例の１つを示す図である。
【図１７】図１７は、図１６のフードの、襠開閉機構を開いた状態を説明するための図である。
【図１８】図１８は、図１６のフードと、上衣とを備えるスキー用衣服を示す図である。
【図１９】図１９は、図１６のフードにおいて、ファスナー２’、引き手部カバー１１、引き手部１２、及び各パーツの縫合部１６の一部を実線で示し、そしてその他を一点鎖線で示した図である。
【図２０】図２０は、図１７のフードにおいて、ファスナー２’、襠６、引き手部カバー１１、引き手部１２、及び各パーツの縫合部１６の一部を実線で示し、そしてその他を一点鎖線で示した図である。
【図２１】図２１は、襠開閉機構がファスナーであり、そして２組の襠及びファスナーを備える、本発明のフードの例の１つを示す図である。
【図２２】図２２は、図２１のフードの、襠開閉機構を開いた状態を説明する図である。
【図２３】図２３は、図２１のフードと、上衣とを備えるスキー用衣服を示す図である。
【図２４】図２４は、図２１のフードにおいて、ファスナー２’、引き手部カバー１１、引き手部１２、及び各パーツの縫合部１６の一部を実線で示し、そしてその他を一点鎖線で示した図である。
【図２５】図２５は、図２２のフードにおいて、ファスナー２’、襠６、引き手部カバー１１、引き手部１２、及び各パーツの縫合部１６の一部を実線で示し、そしてその他を一点鎖線で示した図である。
【発明を実施するための形態】
【００２１】
本発明のフードについて、図面を用いて、以下、詳細に説明する。
図１及び図２は、本発明のフードの態様の１つを示す模式図である。図１は、襠開閉機構を閉じた状態を示し、そして図２は、襠開閉機構を開いた状態を示す。図１［ａ］、［ｂ］及び［ｃ］は、それぞれ、フードの正面図、側面図、及び背面図であり、そして図２［ａ］、［ｂ］及び［ｃ］は、それぞれ、フードの正面図、側面図、及び背面図である。
図１及び図２のフード１は、襠６と、襠開閉機構２とを備える。図１及び２では、襠開閉機構２はファスナーである。
【００２２】
また、図１及び図２のフード１は、顔の周囲部分の大きさ及び密閉度を調節することができるドローコード及びドローコードストッパー３Ａ、上衣に連結するためのスナップ３Ｂ及び面ファスナー３Ｃ、並びに裏地３Ｄを備えているが、これらは、本発明のフードに必須ではない。
図１［ａ］のフード１において、襠６は、フード１の内側に折り畳まれているが、裏地３Ｄがあるために外からは見ることができない。
なお、本明細書において、フードの「内側」は、着用時にユーザーに触れる側を意味する。また、フードの「外側」は、上記内側と反対側、すなわち、外気側を指す。
【００２３】
襠開閉機構２を閉じた図１のフード１は、保護帽を着用していないユーザーがかぶるのに適した寸法を有する。保護帽着用時には、図１に示すフード１において、襠開閉機構２としてのファスナーを、Ａ方向、すなわち、前頭部４から後頭部５にわたる前後方向に引き、襠６及びフード１をＢ方向、すなわち、一方の側頭部７からもう一方の側頭部７の左右方向に開き、襠６を広げ、図２に示すように、保護帽を着用しているユーザーがかぶるのに適した寸法を有するように変形させることができる。
なお、本明細書において、「前後」方向及び「左右」方向は、それぞれ、前頭部から後頭部の方向、及び一方の側頭部からもう一方の側頭部の方向を意味する。
【００２４】
図２に示すフード１を、再び、保護帽を着用していないユーザーがかぶるのに適した寸法を有するように変形させる場合には、襠６を内側に折り畳み、襠開閉機構２をＣ方向に引き上げることにより襠開閉機構２を閉じればよい。
【００２５】
本明細書において、「保護帽を着用していないユーザーがかぶるのに適した寸法」とは、頭の上に直接、又は野球帽、ニット帽等の頭部の保護を目的としていないものの上からかぶることができ、ドローコード及びドローコードストッパー等を調節することにより、目を覆ったり、バタついたりすることなくかぶることができる、通常のフードの寸法を意味する。
本明細書において、「保護帽を着用しているユーザーがかぶるのに適した寸法」とは、保護帽の上からかぶった場合に、目を覆ったり、バタついたりすることなくかぶることができるフードの寸法を意味する。
【００２６】
本明細書において、「保護帽」は、ユーザーの頭を保護するためにかぶるものを意味し、例えば、ヘルメット、ヘッドガード、ヘッドギア、ヘッドプロテクター、インナー付き帽子（キャップ）等が挙げられるが、これらに限定されるものではない。
上記ヘルメットとしては、例えば、スポーツ用ヘルメット、例えば、スキー用、スノーボード用、スケート用、アイスホッケー用、スケートボード用、インラインスケート用、登山（クライミング）用、自転車用若しくは自動二輪車用、作業用、例えば、一般作業用、又は日常生活用、例えば、自転車用若しくは自動二輪車用のヘルメットが挙げられるが、これらに限定されるものではない。
【００２７】
図３は、襠開閉機構のバリエーションを示す、本発明のフードの別の態様を示す模式図である。図３［ａ］及び図３［ｂ］は、それぞれ、正面図及び背面図であり、両図とも、襠６及びフード１を広げた状態を示している。図３では、２組の襠６及びファスナーとしての襠開閉機構２が、頭頂部４から後頭部５にかけて、前後方向に、そして略平行に配置されている。図３のフード１は、２組の襠６及び襠開閉機構２を有するので、フード１を左右方向により大きく広げることができる。図３のフード１では、ファスナーである襠開閉機構２を、上から下に引くことにより開くことができるが、下から上に引くことにより開く構造を有していてもよい。
図３に示すような、２組以上の襠及び襠開閉機構を有するフードは、例えば、保護帽を着用しているユーザーがかぶるのに適した寸法が大きい場合に好適であり、例えば、上記保護帽が大きな自動二輪車用ヘルメットである場合が挙げられる。
【００２８】
図４は、襠開閉機構のバリエーションを示す、本発明のフードの別の態様を示す模式図である。図４［ａ］及び図４［ｂ］は、それぞれ、左側面図及び右側面図であり、両図とも、襠６及びフード１を広げた状態を示している。図４のフード１では、襠６及びファスナーとしての襠開閉機構２が、一方の側頭部７からもう一方の側頭部７にかけて、左右方向に配置されている。図４のフード１では、ファスナーである襠開閉機構２を、左側から右側に引くことにより開くことができるが、右から左に引くことにより開く構造を有していてもよい。
【００２９】
図４に示すフード１では、襠開閉機構２を開いて、襠６及びフード１を前後方向に広げることができる。
図４に示すような、襠及び襠開閉機構が左右方向に配置されたフードは、保護帽を着用しているユーザーがかぶるのに適した寸法が前後に長い場合に好適であり、例えば、保護具が空気抵抗を低減するために前後方向に長い形状を有する自転車用ヘルメットである場合が挙げられる。
【００３０】
図５は、襠開閉機構のバリエーションを示す、本発明のフードの別の態様を示す模式図である。図５［ａ］及び図５［ｂ］は、それぞれ、正面図及び背面図であり、両図とも、襠６及びフード１を広げた状態を示している。図５のフード１では、襠６及びファスナーとしての襠開閉機構２が、頭頂部８から後頭部５にかけて、前後方向に配置されている。
図５に示すような、頭頂部から後頭部にかけて襠及び襠開閉機構を有するフードは、保護帽を着用しているユーザーがかぶるのに適した寸法が保護帽を着用していないユーザーがかぶるのに適した寸法と大きく相違しない場合に好適であり、例えば、上記保護具が、比較的小さいクリーンルーム用ヘルメットである場合が挙げられる。
【００３１】
図６は、襠開閉機構のバリエーションを示す、本発明のフードの別の態様を示す模式図である。図６［ａ］及び図６［ｂ］は、それぞれ、正面図及び背面図であり、両図とも、襠６及びフード１を広げた状態を示している。図６のフード１では、襠６及び襠開閉機構２が、前頭部４から後頭部側の周縁部９にかけて、前後方向に配置されている。また、図６のフード１は、襠開閉機構２として、後頭部側の周縁部９にある端部のところで襠開閉機構２を２つ（左右）に分離することができるオープンファスナーが用いられている。
【００３２】
図６に示すような、襠及び襠開閉機構が、前頭部から後頭部側の周縁部にかけて配置されているフード、そして特に、後頭部側の周縁部側にある端部のところで襠開閉機構を２つに分離することができるフードは、保護帽を着用しているユーザーがかぶるのに適した寸法が特に後頭部側に大きい場合に好適であり、例えば、保護具がフルフェイスのヘルメットである場合が挙げられる。
なお、図６に示すフードのバリエーションとしては、前頭部側の周縁部１０にある端部のところで襠開閉機構を２つに分離することができるような襠開閉機構を備えるものを挙げることができ、保護帽の形状に応じて、適宜選択することができる。
【００３３】
本発明のフードにおいて、上記襠及び襠開閉機構を、上記フードの前頭部から後頭部の方向、すなわち、前後方向に配置することができる。上記襠及び襠開閉機構が前後方向に配置される場合には、上記襠及び襠開閉機構は、前頭部から後頭部の範囲、前頭部から頭頂部の範囲、頭頂部から後頭部の範囲に配置されうる。また、上記襠及び襠開閉機構は、フードの前頭部側の周縁部及び／又は後頭部側の周縁部と接していてもよいし、接していなくともよい。
【００３４】
上記襠及び襠開閉機構が左右方向に配置される場合には、上記襠及び襠開閉機構は、一方の側頭部から前頭部を通ってもう一方の側頭部に至る範囲、一方の側頭部から頭頂部を通ってもう一方の側頭部に至る範囲、又は一方の側頭部から後頭部を通ってもう一方の側頭部に至る範囲に位置されうる。上記襠及び襠開閉機構は、フードの一方の側頭部側の周縁部及び／又はもう一方の側頭部側の周縁部と接していてもよいし、接していなくともよい。
上記襠及び襠開閉機構は、保護具の形状に応じて、上記のように配置されうる。
【００３５】
図７は、襠開閉機構２を閉じる方向のバリエーションを示す、本発明のフードの別の態様を示す模式図である。図７［ａ］及び図７［ｂ］は、それぞれ、正面図及び背面図であり、両図とも、襠を広げる前の折り畳まれた状態を示している。図１〜図６の態様では、襠開閉機構２がフード１の外側にあり、襠開閉機構２を閉じた状態では、襠６は、フードの内側に折り畳まれている。一方、図７の態様では、襠開閉機構２がフードの内側にあるので、襠６はフード１の外側に折り畳まれる。
図１〜図６に示すような、襠をフードの内側に折り畳む態様は、フードが裏地を有する場合に好適であり、そして図７に示すような、襠をフードの外側に折り畳む態様は、フードに装飾を施す場合等に好適である。
【００３６】
本発明のフードにおいて、襠開閉機構の１つとしてのファスナーは、本発明の効果を奏する範囲内であれば特に制限されず、任意のファスナーを用いることができ、例えば、ファスナーの種類として、コイルファスナー、ビスロンファスナー、金属ファスナー等を挙げることができる。
また、ファスナーの機能としては、例えば、図６の態様で用いられたような、引き手部を端部まで引くことで２つ（例えば、右部分及び左部分）に分離する「オープンファスナー」、引き手部を引く際、下止のところで引き手部が止まる「止めファスナー」、引き手部２つ頭部分が向い合わせで配置され、２方向に開くことができる「頭合わせファスナー」等を用いることができる。
さらに、上記ファスナーは、エレメント（ファスナーの噛合わせ部分）及び縫い目が外側から見えにくいコンシール型であることができる。コンシール型は、雪、雨等の浸入を少なくすることができるので好ましい。
【００３７】
本発明のフードは、上記襠開閉機構がファスナーである場合には、ファスナーの引き手部を覆うことができる引き手部カバーを備えることができる。図８及び９に引き手部カバーの例を示す。
図８［ａ］〜［ｃ］は、引き手部カバー１１を閉じた状態から、引き手部カバー１１を持ち上げ、ファスナー２’を開いた状態までを説明する図である。図８のフード１は、襠６と、ファスナー２’と、引き手部カバー１１とを備えており、そしてファスナー２’は、引き手部１２を前頭部側から後頭部側に引くことにより開く。図８の引き手部カバー１１は、ファスナー２’の前頭部４よりの端部のところで、引く前の引き手部１２を覆っている。引き手部カバー１１は、その向かって右側が、フード１に固定され、その向かって左側が、面ファスナーにより剥離可能なように固定されている。
【００３８】
保護帽を着用しているユーザーがかぶるのに適した寸法を有するようにフードを変形させるためには、図８［ａ］に示すように、引き手部カバー１１をＤ方向にめくり上げ、図８［ｂ］に示すように、引き手部１２をＡ方向に引くことができる。引き手部１２をＡ方向に引いた後、図８［ｃ］に示すように、引き手部カバー１１を元に戻してもよい。
図８では、引き手部カバー１１は、向かって右側にめくり上げるように配置されているが、引き手部カバー１１をめくり上げる方向は特に制限されず、向かって左側、下側等にめくり上げるように配置することもできる。
【００３９】
図９は、引き手部カバー１１を有する、本発明のフードの別の態様を示す模式図である。図９のフード１は、襠６と、ファスナー２’と、引き手部カバー１１とを備えており、そしてファスナー２’は、引き手部１２を前頭部側から後頭部側に引くことにより開く。図９は、襠６を広げた状態を示している。図９の引き手部カバー１１は、ファスナー２’の後頭部５よりの端部のところで、引いた後の引き手部１２を覆っている。
図８及び図９に示すように、引き手部カバーは、引く前の引き手部を覆うために配置されているだけではなく、引いた後の引き手部を覆うように配置されていてもよい。
【００４０】
上記引き手部カバーの素材は、後述の表地の素材と、同一の素材から選択されうる。
本発明のフードは、引き手部カバーを有することにより、ファスナーの引き手部が、例えば、自動二輪車において高速で走行している場合、スキーにおいて滑走している場合、作業している場合等に動かず、集中がそがれにくい。
【００４１】
上記襠開閉機構としては、上述のファスナーの他に、例えば、面ファスナー、スナップ、ホック、トッグル、ボタン及びボタンホール、紐及び紐用ループを挙げることができる。上記襠開閉機構としては、ファスナー、面ファスナー、スナップ、ホック、トッグル、並びに／又はボタン及びボタンホールを含むことが好ましい。
上記開閉機構としては、ファスナーであることが最も好ましい。手袋等をしている場合であっても、簡易に開閉することができるからである。
【００４２】
上記面ファスナーは、機械的結合を用いたファスナーであり、例えば、表面に複数の突起、例えば、鉤状、きのこ状、錨状の突起が形成されたフック部と、表面に複数のループが配置されたループ部とを組み合わせたものを挙げることができる。当該面ファスナーは、フック部の複数のフックを、ループ部の複数のループに係合させることにより、２つの部位を剥離可能なように固定することができる。
上記面ファスナーは、襠又は襠以外の表地に直接固定されていてもよく、あるいはフードに固定されたフラップ等の別の部材に固定されていてもよい。
なお、本明細書において、「表地」は、フードの外側の面を構成する素材を意味し、襠の素材を含むが、襠開閉機構の素材は含まない。
【００４３】
図１０に、襠開閉機構が面ファスナーである、本発明のフードの例の１つを示す。図１０［ａ］、［ｂ］及び［ｃ］は、面ファスナー１３を閉じた状態を示し、そして、それぞれ、正面図、左側面図及び背面図を示す。図１０［ｄ］、［ｅ］及び［ｆ］は、面ファスナー１３を開いた状態を示し、そして、それぞれ、正面図、左側面図及び背面図を示す。図１０のフード１は、襠６と、面ファスナー１３と、複数のフラップ１４とを備える。フラップ１４は、フード１の表地に固定されている。符号３Ａはドローコード及びドローコードストッパーを示し、符号３Ｂはスナップを示し、符号３Ｃは面ファスナーを示し、符号３Ｄは裏地を示し、符号１５は縫製部を示し、そして符号１６はフード１の各パーツの縫合部を示す。
【００４４】
図１０のフード１では、面ファスナー１３の一方の部材（例えば、フック部を有する部材）は、縫製によりフード１の表地に固定されており、面ファスナー１３のもう一方の部材（例えば、ループ部を有する部材）（図示せず）は、縫製により、複数のフラップ１４に固定されている。
なお、本発明において、面ファスナー１３の少なくとも一部は、襠６に固定されていてもよい。
図１０［ａ］において、保護帽を着用しているユーザーがかぶるように変形させるためには、複数個のフラップ１４を、面ファスナー１３を剥離させながら、左から右にめくり上げて、襠６を広げ、そしてフード１を広げることができる。
【００４５】
図１１に、襠開閉機構が面ファスナーである、本発明のフードの例の１つを示す。図１１［ａ］、［ｂ］及び［ｃ］は、面ファスナー１３を閉じた状態を示し、そして、それぞれ、正面図、左側面図及び背面図を示す。図１１［ｄ］、［ｅ］及び［ｆ］は、面ファスナー１３を開いた状態を示し、そして、それぞれ、正面図、左側面図及び背面図を示す。図１１のフード１は、襠６と、面ファスナー１３と、単一の略矩形のフラップ１４とを備える。フラップ１４は、フード１の表地に固定されている。
【００４６】
符号３Ａ、３Ｂ、３Ｃ、３Ｄ、１５及び１６は、図１０と同一の意味を有する。図１１のフード１では、面ファスナー１３の一方の部材（例えば、フック部を有する部材）は、縫製によりフード１の表地に固定されており、面ファスナー１３のもう一方の部材（例えば、ループ部を有する部材）（図示せず）は、フラップ１４の、上記一方の部材に対応する場所に、縫製により固定されている。図１０と同様に、面ファスナー１３の少なくとも一部は、襠６に固定されていてもよい。
図１１［ａ］において、保護帽を着用しているユーザーがかぶるように変形させるためには、単一の略矩形のフラップ１４を、面ファスナー１３を剥離させながら、左から右にめくり上げて、襠６を広げ、そしてフード１を広げることができる。
【００４７】
上述のスナップとしては、例えば、スナップボタン、スナップリング、アメリカンスナップ等が挙げられるが、これらに限定されるものではない。
図１２に、襠開閉機構がスナップである、本発明のフードの例の１つを示す。図１２［ａ］、［ｂ］及び［ｃ］は、スナップ１７を閉じた状態を示し、そして、それぞれ、正面図、左側面図及び背面図を示す。図１２［ｄ］、［ｅ］及び［ｆ］は、スナップ１７を開いた状態を示し、そして、それぞれ、正面図、左側面図及び背面図を示す。図１２のフード１は、襠６と、襠開閉機構としてのスナップ１７と、複数のフラップ１４とを備える。フラップ１４は、フード１の表地に固定されている。符号３Ａ、３Ｂ、３Ｃ、３Ｄ、１５及び１６は、図１０と同一の意味を有する。スナップ１７の一方の部材は、フード１の表地に固定されており、スナップ１７のもう一方の部材は、縫製により、フラップ１４に固定されている。スナップ１７の一方の部材の少なくとも一部は、襠６に固定されていてもよい。
図１２［ａ］において、保護帽を着用しているユーザーがかぶるように変形させるためには、スナップ１７を外して、複数のフラップ１４を左から右にめくり上げて、襠６を広げ、そしてフード１を広げることができる。
【００４８】
図１３は、襠開閉機構が面ファスナーであり、そして２組の襠及び面ファスナーを備える、本発明のフードの例の１つを示す図である。図１３のフード１は、２組の襠及び面ファスナーを備える以外は、図１０に示すフードと同様の構造を有する。
図１３［ａ］において、保護帽を着用しているユーザーがかぶる用に変形させるためには、向かって左側にあるフラップ１４を右から左にめくり上げ、そして向かって右側にあるフラップ１４を左から右にめくり上げ、襠６を広げ、そしてフード１を広げることができる。
【００４９】
図１４は、襠開閉機構が面ファスナーであり、そして２組の襠及び面ファスナーを備える、本発明のフードの例の１つを示す図である。図１４のフード１は、２組の襠及び面ファスナーを備える以外は、図１１に示すフードと同様の構造を有する。
図１４［ａ］において、保護帽を着用しているユーザーがかぶるように変形させるためには、向かって左側にあるフラップ１４を右から左にめくり上げ、そして向かって右側にあるフラップ１４を左から右にめくり上げ、襠６を広げ、そしてフード１を広げることができる。
【００５０】
図１５は、襠開閉機構がスナップであり、そして２組の襠及びスナップを備える、本発明のフードの例の１つを示す図である。図１５のフード１は、２組の襠及びスナップを備える以外は、図１２に示すフードと同様の構造を有する。
図１５［ａ］において、保護帽を着用しているユーザーがかぶるように変形させるためには、向かって左側にあるフラップ１４を、スナップ１７を外しながら右から左にめくり上げ、そして向かって右側にあるフラップ１４を、スナップ１７を外しながら左から右にめくり上げ、襠６を広げ、そしてフード１を広げることができる。
【００５１】
上述のホックとしては、バネホック、ジャンパーホック等が挙げられるが、これらに限定されるものではない。
上記ホックは、図１０〜図１５の例と同様に用いることができる。
【００５２】
上述のトッグルとしては、木製、樹脂製、動物の骨、角等の素材から形成されたものが挙げられるが、これらに限定されるものではない。
上記トッグル及びトッグルホールは、図１０〜図１５の例と同様に用いることができる。
【００５３】
上記ボタン及びボタンホール、並びに紐及び紐用ループは、図１０〜図１５の例と同様に用いることができる。
【００５４】
本明細書において、「襠」は、本発明のフードの大きさを変えるための部材であり、襠開閉機構を閉じた状態から開いた状態にすることより広がる部分を意味する。
上記襠は、上記表地のうち襠以外の部分と別個のパーツであってもよく、又は上記襠は、上記表地のうち襠以外の部分と単一のパーツであってもよい。上記襠と上記表地のうち襠以外の部分と別個のパーツであることにより、本発明のフードが、例えば、襠、襠開閉機構及び襠以外の表地の順で連結したものであってもよく、あるいは上記襠と上記表地のうち襠以外の部分と単一のパーツであることにより、例えば、本発明のフードが、表地の素材に単に襠開閉機構を固定したものであってもよい。
【００５５】
上記襠の形状は、保護帽を着用しているユーザーがかぶるのに適した寸法において、フードのどの部分を大きくする必要があるかによって変化し、さらに襠開閉機構の形状によっても変化しうるものであるが、上記襠開閉機構が、フードの前頭部側の周縁部及び／又は後頭部側の周縁部と接していない場合には、上記襠開閉機構の形状は、通常、弧及び弦から形成される同一の図形２つを、弦が重なるようにして形成した形状又はそれに類する形状、例えば、略斜方形である。
上記襠開閉機構が、フードの前頭部側の周縁部又は後頭部側の周縁部のどちらかと接している場合には、上記襠開閉機構の形状は、通常、略三角形である。
上記襠開閉機構が、フードの前頭部側の周縁部及び後頭部側の周縁部の両方と接している場合には、上記襠開閉機構の形状は、通常、略矩形である。
【００５６】
本発明のフードの表地としては、特に制限されないが、例えば、布帛、例えば、織物若しくは編物、皮革、ポリマー、又はこれらの組み合わせを挙げることができる。上記編物には、メッシュ編物が含まれる。本発明のフードが、スキー、スノーボード、スケート等の寒冷な屋外で用いられうる場合には、上記表地としては、雪が付着しにくい織物が好ましい。
【００５７】
本発明のフードは、その内側に裏地を有することができる。
上記裏地としては、表地と同様に、例えば、布帛、例えば、織物若しくは編物、皮革、ポリマー、又はこれらの組み合わせを挙げることができる。
上記裏地は、より大きな寸法である、保護帽を着用しているユーザーがかぶるのに適した寸法に相当する大きさを有することにより、本発明のフードの変形に対応することができる。また、上記裏地は、保護帽を着用していないユーザーがかぶるのに適した寸法を有するが、裏地の少なくとも一部が伸縮性を有する素材から製造し、より大きな寸法である、保護帽を着用しているユーザーがかぶるのに適した寸法に対応させることができる。
【００５８】
本発明のフードは、表地と裏地との間に、保温用部材を有することができる。上記保温用部材としては、特に制限されないが、例えば、ダウン、羊毛、綿、ポリエステル繊維、ポリウレタン繊維、アクリル繊維、又はこれらの組み合わせを挙げることができる。
上記ダウン、羊毛、綿、ポリエステル繊維、ポリウレタン繊維、アクリル繊維等は、保温用部材としてそのまま用いることができ、さらに、羊毛、綿、ポリエステル繊維、ポリウレタン繊維、アクリル繊維等は、布帛、例えば、織物、不織布、編物等の形態であってもよい。
【００５９】
本発明はまた、上述のフードを備える衣服に関する。本発明の衣服としては、保護帽を着用した状態及び保護帽を着用していない状態の両方でフードをかぶることが想定される用途で着用されうるものであれば、特に制限されないが、例えば、防寒用、例えば、スポーツ用、例えば、スキー用、スノーボード用、スケート用、アイスホッケー用、スケートボード用、インラインスケート用、登山（クライミング）用、自転車用若しくは自動二輪車用、冷所作業用、例えば、医療用、看護用、介護用、警備用、警察用若しくは軍用、又は日常生活用、例えば、自転車用若しくは自動二輪車用、あるいは防塵用、例えば、作業用、例えば、クリーンルーム用の衣服を挙げることができる。上記スポーツ用衣服には、競技の際に着用する衣服だけでなく、競技の前後の精神集中用、保温用等の衣服も含まれる。
【００６０】
図１６は、襠開閉機構がファスナーである、本発明のフードの例の１つを示す図である。図１６［ａ］，［ｂ］，［ｃ］，［ｄ］及び［ｅ］は、それぞれ、正面図、左側面図、背面図、平面図及び底面図である。図１６のフード１は、襠６と、ファスナー２’と、引き手部カバー１１とを備える。ファスナー２’は、引き手部１２を有し、コンシール型のコイルファスナーであり、且つ止めファスナーである。符号３Ａはドローコード及びドローコードストッパーを示し、符号３Ｂはスナップを示し、符号３Ｃは面ファスナーを示し、符号３Ｄは裏地を示し、符号１５は縫製部を示し、そして符号１６はフード１の各パーツの縫合部を示す。
【００６１】
図１７は、図１６のフードの、襠開閉機構を開いた状態を説明するための図である。図１７［ａ］，［ｂ］，［ｃ］，［ｄ］及び［ｅ］は、それぞれ、正面図、左側面図、背面図、平面図及び底面図である。各符号は、図１６と同一である。
【００６２】
図１８は、図１６のフードと、上衣とを備えるスキー用衣服を示す図である。図１８［ａ］，［ｂ］及び［ｃ］は、それぞれ、正面図、背面図及び左側面図である。フード１の前側は、フード１のスナップ３Ｂ（図示せず）及び面ファスナー３Ｃ（図示せず）を含む部分が、上衣１９のフード固定部２０内に挿入され、そしてフード１のスナップ３Ｂ及び面ファスナー３Ｃが、それぞれ、フード固定部２０内のスナップ及び面ファスナーに固定されることにより、上衣１９に連結されている。フード１の後側は、背面のファスナー（図示せず）により、上衣１９に連結されている。
図１８の衣服１８は、フード１と、上衣１９とから構成されているが、本発明の衣服は、フードと、上衣及び下衣が一体化となったものとから構成されてもよい。
【００６３】
図１９は、本発明の理解を助けるために、図１６のフードにおいて、ファスナー２’、引き手部カバー１１、引き手部１２、及び各パーツの縫合部１６の一部を実線で示し、そしてその他を一点鎖線で示した図である。図１９［ａ］，［ｂ］，［ｃ］，［ｄ］及び［ｅ］は、それぞれ、正面図、左側面図、背面図、平面図及び底面図である。
【００６４】
図２０は、本発明の理解を助けるために、図１７のフードにおいて、ファスナー２’、襠６、引き手部カバー１１、引き手部１２、及び各パーツの縫合部１６の一部を実線で示し、そしてその他を一点鎖線で示した図である。図２０［ａ］，［ｂ］，［ｃ］，［ｄ］及び［ｅ］は、それぞれ、正面図、左側面図、背面図、平面図及び底面図である。
【００６５】
図２１は、襠開閉機構がファスナーであり、そして２組の襠及びファスナーを備える、本発明のフードの例の１つを示す図である。図２１［ａ］，［ｂ］，［ｃ］，［ｄ］及び［ｅ］は、それぞれ、正面図、左側面図、背面図、平面図及び底面図である。図２１のフード１は、２組の襠６及びファスナー２’と、引き手部カバー１１とを備える。ファスナー２’は、引き手部１２を有し、コンシール型のコイルファスナーであり、且つ止めファスナーである。符号３Ａはドローコード及びドローコードストッパーを示し、符号３Ｂはスナップを示し、符号３Ｃは面ファスナーを示し、符号３Ｄは裏地を示し、符号１５は縫製部を示し、そして符号１６はフード１の各パーツの縫合部を示す。
【００６６】
図２２は、図２１のフードの、襠開閉機構を開いた状態を説明するための図である。図２２［ａ］，［ｂ］，［ｃ］，［ｄ］及び［ｅ］は、それぞれ、正面図、左側面図、背面図、平面図及び底面図である。各符号は、図２１と同一である。
【００６７】
図２３は、図２１に示されるフードと、上衣とを備えるスキー用衣服を示す図である。図２３［ａ］，［ｂ］及び［ｃ］は、それぞれ、正面図、背面図及び左側面図である。図２３の衣服は、フード１と、上衣１９とから構成される。図２３に示されるフード１は、図１８と同様に、上衣１９に固定されている。
図２３の衣服は、フード１と、上衣１９とから構成されているが、本発明の衣服は、フードと、上衣及び下衣が一体化となったものとから構成されてもよい。
【００６８】
図２４は、本発明の理解を助けるために、図２１のフードにおいて、ファスナー２’、引き手部カバー１１、引き手部１２、及び各パーツの縫合部１６の一部を実線で示し、そしてその他を一点鎖線で示した図である。図２４［ａ］，［ｂ］，［ｃ］，［ｄ］及び［ｅ］は、それぞれ、正面図、左側面図、背面図、平面図及び底面図である。
【００６９】
図２５は、本発明の理解を助けるために、図２２のフードにおいて、ファスナー２’、襠６、引き手部カバー１１、引き手部１２、及び各パーツの縫合部１６の一部を実線で示し、そしてその他を一点鎖線で示した図である。図２５［ａ］，［ｂ］，［ｃ］，［ｄ］及び［ｅ］は、それぞれ、正面図、左側面図、背面図、平面図及び底面図である。
【符号の説明】
【００７０】
１    フード
２    襠開閉機構
２’    ファスナー
３Ａ    ドローコード及びドローコードストッパー
３Ｂ    スナップ
３Ｃ    面ファスナー
３Ｄ    裏地
４    前頭部
５    後頭部
６    襠
７    側頭部
８    頭頂部
９    後頭部側の周縁部
１０    前頭部側の周縁部
１１    引き手部カバー
１２    引き手部
１３    面ファスナー
１４    フラップ
１５    縫製部
１６    各パーツの縫合部
１７    スナップ
１８    衣服
１９    上衣
２０    フード固定部
【図１】
2011122268.tif 000003
【図２】
2011122268.tif 000004
【図３】
2011122268.tif 000005
【図４】
2011122268.tif 000006
【図５】
2011122268.tif 000007
【図６】
2011122268.tif 000008
【図７】
2011122268.tif 000009
【図８】
2011122268.tif 000010
【図９】
2011122268.tif 000011
【図１０】
2011122268.tif 000012
【図１１】
2011122268.tif 000013
【図１２】
2011122268.tif 000014
【図１３】
2011122268.tif 000015
【図１４】
2011122268.tif 000016
【図１５】
2011122268.tif 000017
【図１６】
2011122268.tif 000018
【図１７】
2011122268.tif 000019
【図１８】
2011122268.tif 000020
【図１９】
2011122268.tif 000021
【図２０】
2011122268.tif 000022
【図２１】
2011122268.tif 000023
【図２２】
2011122268.tif 000024
【図２３】
2011122268.tif 000025
【図２４】
2011122268.tif 000026
【図２５】
2011122268.tif 000027